(57)【要約】【課題】  傘骨位置決め構造の提供。【解決手段】  中棒と傘骨機構を具え、該中棒に第１ろくろと第２ろくろが設けられ、該傘骨機構が複数の受骨と引き棒を具え、該受骨が該第２ろくろに枢設され、該受骨に枢設手段が設けられ、該枢設手段に凸耳が設けられ、該凸耳にピンとストッパブロックが設けられ、該引き棒の一端が第１ろくろに枢設され、該引き棒の別端が該枢設手段のピンに枢設され、これにより、受骨と引き棒の間の枢設、係合が相当に安定し確実とされて脱落しにくく、雨傘の構造強度と使用寿命を増すことができる。【選択図】        図１
2005161005.tif 000002
【特許請求の範囲】
【請求項１】
中棒と傘骨機構を具え、該中棒に第１ろくろと第２ろくろが設けられ、該傘骨機構が複数の受骨と引き棒を具え、該受骨が該第２ろくろに枢設され、該受骨に枢設手段が設けられ、該枢設手段に凸耳が設けられ、該凸耳にピンとストッパブロックが設けられ、該引き棒の一端が第１ろくろに枢設され、該引き棒の別端が該枢設手段のピンに枢設され、ストッパブロックが引き棒の枢設手段との枢設端の移動に対して当接による制限を形成して引き棒の脱落を防止することを特徴とする、傘骨位置決め構造。
【請求項２】
請求項１記載の傘骨位置決め構造において、第１ろくろと第２ろくろに複数の嵌め溝が設けられたことを特徴とする、傘骨位置決め構造。
【請求項３】
請求項１記載の傘骨位置決め構造において、第１ろくろと第２ろくろの間にバネが保持されたことを特徴とする、傘骨位置決め構造。
【請求項４】
請求項１記載の傘骨位置決め構造において、複数の親骨を具え、該親骨が受骨に枢設されたことを特徴とする、傘骨位置決め構造。
【請求項５】
請求項１記載の傘骨位置決め構造において、枢設手段のピンとストッパブロックの間に穿孔が設けられたことを特徴とする、傘骨位置決め構造。
【請求項６】
請求項１記載の傘骨位置決め構造において、引き棒の枢設手段との枢設端に係合部が設けられたことを特徴とする、傘骨位置決め構造。
【請求項７】
中棒と傘骨機構を具え、該中棒に複数の傘骨と引き棒が接続され、該傘骨に枢設手段が設けられ、該枢設手段にピンとストッパブロックが設けられ、該引き棒の一端が該枢設手段のピンに枢設され、且つストッパブロックが該引き棒の移動に対して当接による限位を形成して引き棒の脱落を防止することを特徴とする、傘骨位置決め構造。
【請求項８】
傘骨と引き棒を連結する枢設手段を具え、該枢設手段にピンとストッパブロックが設けられ、該ピンが引き棒との枢設に供され、該ストッパブロックが該引き棒の移動に対して当接による限位を形成し、引き棒の脱落を防止することを特徴とする、傘骨位置決め構造。
【発明の詳細な説明】
【技術分野】
【０００１】
本発明は一種の傘骨構造に係り、さらに詳しくは、傘骨の支持連結を、脱落しにくいものとして、その組立と使用品質を確保した傘骨位置決め構造に関する。
【背景技術】
【０００２】
雨傘或いは日傘は現代人の生活に常用される物品であり、雨風或いは日射しを避けるのに相当に便利である。しかし一般に雨傘の故障率は相当に高く、その主要な原因は、雨傘の傘骨間の連結が各種の習慣的操作或いは劣悪な使用環境に耐えられなくなることによる。図８、９及び図１０に示されるように、周知の雨傘は、ハンドルに接続された中棒９０を具え、該中棒９０にスライド可能な第１ろくろ９１、第２ろくろ９２、及びその間に保持されたバネ９３が設けられ、該第２ろくろ９２は受骨９４に枢設され、該受骨９４の外端が親骨９５に枢設され、該第１ろくろ９１に引き棒９６が枢設され、該引き棒９６の外端が受骨９４の枢設手段９７に係止され、該引き棒９６と受骨９４の係合は引き棒９６外端の係止部９８が枢設手段９７に枢設されたピン９９に係合することにより形成されている。
【０００３】
前述の雨傘構造は、その傘骨間の連結の基本作用を達成することができるが、一般に消費者が雨傘を購入する時には、雨傘の構造強度を確認するため、習慣的に環状配列された受骨９４の四箇所を引っ張って試す。これにより受骨９４が下向きの引っ張り力Ｆを受け、これにより枢設手段９７が引き棒９６に対して相互に押圧する作用力を発生し、これにより枢設手段９７のピン９９が引き棒９６の係合部９８との係合位置より離脱することがあり、このために品質上の重大な欠点（不良品）が形成された。さらに雨傘を風が強かったり或いは台風の時に使用すると、風力作用が傘面（図示せず、該傘面は親骨９５と接続されて支持されている）にかかる時、親骨９５と受骨９４がいずれも下向きの圧力を受け、ピン９９が係合部９８との係合位置より離脱し、係合部９８より脱落することがある。風が強く雨傘をしっかりと握持することができず、雨傘が揺れる時、受骨９４と引き棒９６の係合部９８の離脱が発生すると、雨傘のフレームの連結強度が弱まり平衡状態に支持できなくなり、危険を発生しうる。このため、雨傘の傘骨の連結強度と安全性の問題を解決することが必要である。
【発明の開示】
【発明が解決しようとする課題】
【０００４】
前述の雨傘構造の傘骨連結位置決め不良の欠点とその構造が安全設計上理想的でない事実に対して、本発明は実用性と安全性を兼ね備えた傘骨位置決め構造を提供するものである。
【０００５】
本発明の目的は、一種の傘骨位置決め構造を提供することにあり、それは、受骨と引き棒の係合を相当に安定させ、確実とし、相互に脱落を発生しないようにし、雨傘の構造品質と使用寿命を増すようにした構造である。
【０００６】
本発明のもう一つの目的は、一種の傘骨位置決め構造を提供することにあり、それは、傘が消費者の任意の試験や劣悪環境での使用によって引き棒の脱落を形成しないようにし、これにより全体の構造強度と安全性を高めた構造である。
【課題を解決するための手段】
【０００７】
請求項１の発明は、中棒と傘骨機構を具え、該中棒に第１ろくろと第２ろくろが設けられ、該傘骨機構が複数の受骨と引き棒を具え、該受骨が該第２ろくろに枢設され、該受骨に枢設手段が設けられ、該枢設手段に凸耳が設けられ、該凸耳にピンとストッパブロックが設けられ、該引き棒の一端が第１ろくろに枢設され、該引き棒の別端が該枢設手段のピンに枢設され、ストッパブロックが引き棒の枢設手段との枢設端の移動に対して当接による制限を形成して引き棒の脱落を防止することを特徴とする、傘骨位置決め構造としている。
請求項２の発明は、請求項１記載の傘骨位置決め構造において、第１ろくろと第２ろくろに複数の嵌め溝が設けられたことを特徴とする、傘骨位置決め構造としている。
請求項３の発明は、請求項１記載の傘骨位置決め構造において、第１ろくろと第２ろくろの間にバネが保持されたことを特徴とする、傘骨位置決め構造としている。
請求項４の発明は、請求項１記載の傘骨位置決め構造において、複数の親骨を具え、該親骨が受骨に枢設されたことを特徴とする、傘骨位置決め構造としている。
請求項５の発明は、請求項１記載の傘骨位置決め構造において、枢設手段のピンとストッパブロックの間に穿孔が設けられたことを特徴とする、傘骨位置決め構造としている。
請求項６の発明は、請求項１記載の傘骨位置決め構造において、引き棒の枢設手段との枢設端に係合部が設けられたことを特徴とする、傘骨位置決め構造としている。
請求項７の発明は、中棒と傘骨機構を具え、該中棒に複数の傘骨と引き棒が接続され、該傘骨に枢設手段が設けられ、該枢設手段にピンとストッパブロックが設けられ、該引き棒の一端が該枢設手段のピンに枢設され、且つストッパブロックが該引き棒の移動に対して当接による限位を形成して引き棒の脱落を防止することを特徴とする、傘骨位置決め構造としている。
請求項８の発明は、傘骨と引き棒を連結する枢設手段を具え、該枢設手段にピンとストッパブロックが設けられ、該ピンが引き棒との枢設に供され、該ストッパブロックが該引き棒の移動に対して当接による限位を形成し、引き棒の脱落を防止することを特徴とする、傘骨位置決め構造としている。
【発明の効果】
【０００８】
本発明の傘骨位置決め構造は、受骨と引き棒の係合を相当に安定させ、確実とし、相互に脱落を発生しないようにし、雨傘の構造品質と使用寿命を増すようにした構造である。
【０００９】
本発明の傘骨位置決め構造は、傘が消費者の任意の試験や劣悪環境での使用によって引き棒の脱落を形成しないようにし、これにより全体の構造強度と安全性を高めた構造である。
【発明を実施するための最良の形態】
【００１０】
本発明は、中棒と傘骨機構を具え、該中棒に第１ろくろと第２ろくろが設けられ、該傘骨機構が複数の受骨と引き棒を具え、該受骨が該第２ろくろに枢設され、該受骨に枢設手段が設けられ、該枢設手段に凸耳が設けられ、該凸耳にピンとストッパブロックが設けられ、該引き棒の一端が第１ろくろに枢設され、該引き棒の別端が該枢設手段のピンに枢設され、ストッパブロックが引き棒の枢設手段との枢設端の移動に対して制限作用を有し、これにより、引き棒の脱落を防止し、雨傘の構造強度と、使用の安全性及び使用寿命を増している。
【実施例１】
【００１１】
図１から図５に示されるように、本発明の傘骨位置決め構造は、中棒１０と傘骨機構２０を具えている。該中棒１０にスライド自在に第１ろくろ１１と第２ろくろ１２が嵌合され、該第１ろくろ１１と第２ろくろ１２に複数の嵌め溝１１１、１２１が設けられ、且つ該第１ろくろ１１と第２ろくろ１２の間にバネ１３が保持されている。該傘骨機構２０は複数の受骨２１、親骨２２及び引き棒２３を具え、該受骨２１は第２ろくろ１２の嵌め溝１２１部分に枢設され、並びに該受骨２１に枢設手段２４と端部枢設手段２５が嵌合されている。そのうち、枢設手段２４の底端に凸耳２４１が設けられ、該凸耳２４１に枢設手段２４の軸方向に平行な穿孔２４２と穿孔２４２の両端位置のピン２４３とストッパブロック２４４が設けられている。該親骨２２は中棒１０の上方の第３ろくろ（図示せず）に枢設され、該親骨２２に枢設手段２２１が嵌合され、該枢設手段２２１の底端に凸耳２２２が設けられ、該凸耳２２２は受骨２１の端部枢設手段２５に枢設され、これにより受骨２１と親骨２２が接続される。該引き棒２３は金属製棒体とされ、その一端にフック２３１が設けられ、該フック２３１が第１ろくろ１１の嵌め溝１１１に挿入されて第１ろくろ１１に枢設され、引き棒２３の別端に係合部２３２が設けられ、該係合部２３２が適当な角度を以て該枢設手段２４の穿孔２４２より挿入されてピン２４３に係合され、こうして傘骨機構２０と中棒１０の接続が完成する。
【００１２】
図６及び図７に示されるように、受骨２１が人為的或いは環境外力により下向きの圧力Ａを受ける時、該枢設手段２４のピン２４３と係合部２３２或いは相互に移動を発生しうるが、ストッパブロック２４４の発生する当接作用により、係合部２３２の移動距離が制限され、該係合部２３２とピン２４３の脱落が防止され、外力が消失すると、該受骨２１と引き棒２３の圧力を受けた後の伸張弾力により係合部２３２とピン２４３がもとの緊密な係合状態に回復する。
【００１３】
さらに、係合部２３２は適当な角度を以て枢設手段２４の穿孔２４２部分より挿入されてピン２４３に係合させられ、且つ枢設手段２４の穿孔２４２の大きさは係合部２３２の弾性係合に合わせて設計され、これにより受骨２１が一般の外力作用を受けても引き棒２３の係合部２３２が反対方向に退出することがなく、受骨２１と引き棒２３の安定した連結の構造品質を確保できる。
【００１４】
本発明は枢設手段２４にあってピン２４３と反対の端部にストッパブロック２４４が設けられ、並びにストッパブロック２４４が引き棒２３の係合部２３２に対して当接により脱落を防止し、確実に引き棒２３の脱落の問題を解決し、雨傘使用の安全性を増し使用寿命を延長する。
【図面の簡単な説明】
【００１５】
【図１】本発明の分解斜視図である。
【図２】本発明の受骨の枢設手段の斜視図である。
【図３】本発明の受骨の枢設手段の断面図である。
【図４】本発明の折り畳み状態表示図である。
【図５】本発明の展開状態表示図である。
【図６】本発明の受圧状態表示図である。
【図７】本発明の引き棒の脱落防止状態表示図である。
【図８】周知の傘骨構造表示図である。
【図９】周知の傘骨構造の引き棒の脱落状態表示図である。
【図１０】周知の傘骨構造の分解図である。
【符号の説明】
【００１６】
１０  中棒
２０  傘骨機構
１１  第１ろくろ
１２  第２ろくろ
１１１、１２１  嵌め溝
１３  バネ
２１  受骨
２２  親骨
２３  引き棒
２４  枢設手段
２５  端部枢設手段
２２１  枢設手段
２２２、２４１  凸耳
２３１  フック
２３２  係合部
２４２  穿孔
２４３  ピン
２４４  ストッパブロック
【図１】
2005161005.tif 000003
【図２】
2005161005.tif 000004
【図３】
2005161005.tif 000005
【図４】
2005161005.tif 000006
【図５】
2005161005.tif 000007
【図６】
2005161005.tif 000008
【図７】
2005161005.tif 000009
【図８】
2005161005.tif 000010
【図９】
2005161005.tif 000011
【図１０】
2005161005.tif 000012